(57)【要約】【課題】電力ケーブルと通信ケーブルとを直接接触させずに一括した複合ケーブルを提供する。【解決手段】複合ケーブル１は、電力ケーブル２と通信ケーブル３とを備え、これらのケーブルをそれぞれ管体５ａ，５ｂ内に収容し、各管体５ａ，５ｂをバインドテープ６によって結束して一体として構成されている。電力ケーブル２と通信ケーブル３は、これらのケーブルと各管体５ａ，５ｂの内壁との間に挿入された介在物４ａ，４ｂにより、管体５ａ，５ｂ内に係止されている。【選択図】  図１
2004259498.tif 000002
【特許請求の範囲】
【請求項１】
１本又は複数本の電力ケーブルを単数又は複数の一の管体内に収容し、
１本又は複数本の通信ケーブルを単数又は複数の他の管体内に収容し、
前記一の管体内に収容した電力ケーブルと前記他の管体内に収容した通信ケーブルとを一括して一体に構成したことを特徴とする複合ケーブル。
【請求項２】
１本又は複数本の電力ケーブルと１本又は複数本の通信ケーブルとを備え、
前記電力ケーブル又は前記通信ケーブルを単数又は複数の管体内に収容し、
前記通信ケーブル又は前記電力ケーブルを前記管体の外周に配置し、
前記管体内に収容した前記ケーブルと前記管体の外周に配置した前記ケーブルとを一括して一体に構成したことを特徴とする複合ケーブル。
【請求項３】
１本又は複数本の電力ケーブルと１本又は複数本の通信ケーブルとを備え、
前記電力ケーブルのうちの１本若しくは複数本、又は前記通信ケーブルのうちの１本若しくは複数本を、単数又は複数の管体内に収容し、
他のケーブルを、少なくとも電力ケーブルと通信ケーブルとが互いに非接触状態となるように前記管体の外周に配置し、
前記管体内に収容した前記ケーブルと前記管体の外周に配置した前記ケーブルとを一括して一体に構成したことを特徴とする複合ケーブル。
【請求項４】
１本又は複数本の電力ケーブルと１本又は複数本の通信ケーブルとを備え、
前記電力ケーブルのうちの１本又は複数本を、単数又は複数の一の管体内に収容し、
前記通信ケーブルのうちの１本又は複数本を、単数又は複数の他の管体内に収容し、
他のケーブルを、少なくとも電力ケーブルと通信ケーブルとが互いに非接触状態となるように前記一の管体又は前記他の管体の外周に配置し、
前記一の管体内に収容したケーブルと前記他の管体内に収容した前記ケーブルと前記一の管体又は前記他の管体の外周に配置した前記他のケーブルとを一括して一体に構成したことを特徴とする複合ケーブル。
【請求項５】
前記管体内に収容したケーブルを、前記管体内に係止したことを特徴とする請求項１，２，３又は４のいずれかに記載の複合ケーブル。
【請求項６】
前記管体内に収容したケーブルと前記管体内壁との間に紐状の介在物を長手方向に設け、該介在物を前記ケーブルと前記管体内壁とに密着させることにより前記ケーブルを前記管体内に係止したことを特徴とする請求項５に記載の複合ケーブル。
【請求項７】
前記管体は可撓性を有することを特徴とする請求項１，２，３，４，５又は６のいずれかに記載の複合ケーブル。
【請求項８】
前記管体は金属製であり、該管体と該管体内に収容した前記ケーブルとの間に、前記管体の内壁に接触するドレイン線を長手方向に挿入したことを特徴とする請求項１，２，３，４，５，６又は７のいずれかに記載の複合ケーブル。
【発明の詳細な説明】
【０００１】
【発明の属する技術分野】
本発明は、電力ケーブルと通信ケーブルとを複合した複合ケーブルに関する。
【０００２】
【従来の技術】
複数種類のケーブルを一括した従来の複合ケーブルとして、複数種類の通信ケーブルを複合したものや電力ケーブルと光ファイバケーブルとを複合したものが知られている（例えば、特許文献１、特許文献２参照。）。これらの複合ケーブルは、複数種類のケーブルを同一のルートに容易に布設することができるというメリットを有している。
【０００３】
一方、低圧用の電力ケーブル（最大使用電圧が交流６００Ｖまで）と通信用の弱電流ケーブル（最大使用電圧が６０Ｖまで）は、電気設備技術基準により、直接接触せずに布設することが定められている。したがって、従来は、これらのケーブルを同じルートで配線する場合においても、それぞれのケーブルを用意し、これらのケーブル同士が直接接触しないよう離隔して布設するのが一般的であった。
【０００４】
【特許文献１】
特開２０００−１２３６４８号公報
【０００５】
【特許文献２】
特開２００１−２６６６６５号公報
【０００６】
【発明が解決しようとする課題】
しかし、このように、電力ケーブルと通信ケーブルとを同じルートで配線する場合にあっても、これらのケーブルを別々に用意して配線しなければならないとすると、布設作業の作業性が悪い。
【０００７】
本発明の目的は、電力ケーブルと通信ケーブルとを直接接触させずに一括した複合ケーブルを提供することにある。
【０００８】
【課題を解決するための手段】
上記目的を達成するために、請求項１に記載の発明は、１本又は複数本の電力ケーブルを単数又は複数の一の管体内に収容し、１本又は複数本の通信ケーブルを単数又は複数の他の管体内に収容し、前記一の管体内に収容した電力ケーブルと前記他の管体内に収容した通信ケーブルとを一括して一体に構成したことを特徴とする。
【０００９】
このような請求項１に記載の本発明によれば、一の管体内に収容された電力ケーブルと他の管体内に収容された通信ケーブルとが直接接触することはない。これにより、電力ケーブルと通信ケーブルとで複合ケーブルを構成することができ、これらのケーブルを同一ルートで布設する場合の布設作業性を向上させることができる。
【００１０】
なお、本明細書において、一の管体とは電力ケーブルを収容する管体を意味し、また他の管体とは通信ケーブルを収容する管体を意味する。
【００１１】
請求項２に記載の発明は、１本又は複数本の電力ケーブルと１本又は複数本の通信ケーブルとを備え、前記電力ケーブル又は前記通信ケーブルを単数又は複数の管体内に収容し、前記通信ケーブル又は前記電力ケーブルを前記管体の外周に配置し、前記管体内に収容した前記ケーブルと前記管体の外周に配置した前記ケーブルとを一括して一体に構成したことを特徴とする。
【００１２】
このような請求項２に記載の本発明によれば、管体内に収容された電力ケーブル又は通信ケーブルと、管体の外周に配置された通信ケーブル又は電力ケーブルとが直接接触することはない。これにより、電力ケーブルと通信ケーブルとを直接接触させずに複合ケーブルを構成することができ、これらのケーブルを同一ルートで布設する場合の布設作業性を向上させることができる。
【００１３】
請求項３に記載の発明は、１本又は複数本の電力ケーブルと１本又は複数本の通信ケーブルとを備え、前記電力ケーブルのうちの１本若しくは複数本、又は前記通信ケーブルのうちの１本若しくは複数本を、単数又は複数の管体内に収容し、他のケーブルを、少なくとも電力ケーブルと通信ケーブルとが互いに非接触状態となるように前記管体の外周に配置し、前記管体内に収容した前記ケーブルと前記管体の外周に配置した前記ケーブルとを一括して一体に構成したことを特徴とする。
【００１４】
このような請求項３に記載の本発明によれば、管体内に収容されたケーブルと、管体の外周に配置されたケーブルとが直接接触することはない。さらに、管体の外周に配置されたケーブルのうち、少なくとも電力ケーブルと通信ケーブルとが直接接触することはない。これにより、電力ケーブルと通信ケーブルとを直接接触させずに複合ケーブルを構成することができ、これらのケーブルを同一ルートで布設する場合の布設作業性を向上させることができる。
【００１５】
請求項４に記載の発明は、１本又は複数本の電力ケーブルと１本又は複数本の通信ケーブルとを備え、前記電力ケーブルのうちの１本又は複数本を、単数又は複数の一の管体内に収容し、前記通信ケーブルのうちの１本又は複数本を、単数又は複数の他の管体内に収容し、他のケーブルを、少なくとも電力ケーブルと通信ケーブルとが互いに非接触状態となるように前記一の管体又は前記他の管体の外周に配置し、前記一の管体内に収容したケーブルと前記他の管体内に収容した前記ケーブルと前記一の管体又は前記他の管体の外周に配置した前記他のケーブルとを一括して一体に構成したことを特徴とする。
【００１６】
このような請求項４に記載の本発明によれば、一の管体内に収容された電力ケーブルと他の管体内に収容された通信ケーブルとが直接接触することはない。また、一又は他の管体内に収容されたケーブルと一又は他の管体の外周に配置されたケーブルとが直接接触することはない。さらに、一又は他の管体の外周に配置されたケーブルのうち、少なくとも電力ケーブルと通信ケーブルとが直接接触することはない。これにより、電力ケーブルと通信ケーブルとを直接接触させずに複合ケーブルを構成することができ、これらのケーブルを同一ルートで布設する場合の布設作業性を向上させることができる。
【００１７】
請求項５に記載の発明は、前記管体内に収容したケーブルを、前記管体内に係止したことを特徴とする。
【００１８】
このような請求項５に記載の本発明によれば、管体内に収容されたケーブルのずれを防止することができ、複合ケーブルの施工時に管体内からケーブルが抜けてしまうことを防ぐことができるので、施工時の作業性が良好である。
【００１９】
請求項６に記載の発明は、前記管体内に収容されたケーブルと前記管体内壁との間に紐状の介在物を長手方向に設け、該介在物を前記ケーブルと前記管体内壁とに密着させることにより前記ケーブルを前記管体内に係止したことを特徴とする。
【００２０】
このような請求項６に記載の本発明によれば、管体内に収容されたケーブルのずれを防止することができ、複合ケーブルの施工時に管体内からケーブルが抜けてしまうことを防ぐことができるので、施工時の作業性が良好である。
【００２１】
請求項７に記載の発明は、前記管体は可撓性を有することを特徴とする。
【００２２】
このような請求項７に記載の本発明によれば、複合ケーブルを容易に曲げることができる。
【００２３】
請求項８に記載の発明は、前記管体は金属製であり、該管体と該管体内に収容した前記ケーブルとの間に、前記管体の内壁に接触するドレイン線を長手方向に挿入したことを特徴とする。
【００２４】
このような請求項８に記載の本発明によれば、遮蔽効果を得ることができ、さらに接地線を取り付けるための作業を簡略化することができる。
【００２５】
【発明の実施の形態】
以下、本発明に係る複合ケーブルの実施の形態の第１例について説明する。
図１は本発明に係る複合ケーブルの実施の形態の第１例を示す断面図である。
【００２６】
本例の複合ケーブル１は、低圧用の電力ケーブル（最大使用電圧が６００Ｖまで）２と、通信ケーブル（最大使用電圧が６０Ｖまで）３とをそれぞれ１本ずつ備えていて、これらの電力ケーブル２及び通信ケーブル３は、それぞれ、介在物４ａ，４ｂを介して、ビニルやポリエチレンなどの合成樹脂製で波付き加工が施された管体５ａ（請求項にいう一の管体に該当）及び管体５ｂ（請求項にいう他の管体に該当）内に収容されている。そして、管体５ａ，５ｂが合成樹脂製のバインドテープ６により結束されて複合ケーブル１が構成されている。
【００２７】
介在物４ａ，４ｂは、合成樹脂製の紐状となっていて、電力ケーブル２と管体５ａとの間及び通信ケーブル３と管体５ｂとの間に長手方向に設けられ、電力ケーブル２と管体５ａ内壁、通信ケーブル３と管体５ｂ内壁とに密着するようになっている。これにより、電力ケーブル２及び通信ケーブル３が管体５ａ及び管体５ｂ内に係止されている。
【００２８】
かかる介在物４ａ，４ｂは、本例ではそれぞれ２本設けられている。ただし、必ずしも２本である必要はなく、管体内にケーブルを係止することができる本数となっていればよい。
【００２９】
このようにして、内部に電力ケーブル２が係止して収容されている管体５ａと内部に通信ケーブル３が係止して収容されている管体５ｂは、互いに平行に配置され、バインドテープ６を螺旋状に巻き付けることにより結束されて一体となっている（なお、図１及び後述する図２から図４においては、バインドテープ６の巻き付けの様子を簡略化して描いてある）。これにより、管体５ａ内に収容された電力ケーブル２と管体５ｂ内に収容された通信ケーブル３とが一括されて一体に構成されている。ただし、管体５ａ内に収容された電力ケーブル２と管体５ｂ内に収容された通信ケーブル３とを一括して一体に構成する手段はこのようなものに限られるものではなく、例えば、バインドテープ６の代わりにバインド線を巻き付けてもよい。また合成樹脂製の波付き加工が施された管体５ａ，５ｂは可撓性を有しており、これら管体５ａ，５ｂ同士を撚り合わせてもよい。いずれか一方の管体５ａ又は管体５ｂの外周に他方の管体５ｂ又は管体５ａを螺旋状に巻き付けてもよい。
【００３０】
このような構成の複合ケーブル１は、先ず、電力ケーブル２及び通信ケーブル３を製造した後、これを別工程で管体５ａ，５ｂ内に収容し、これらの管体５ａ，５ｂを結束することにより製造される。具体的には、別工程で製造され平行に配置された電力ケーブル２及び通信ケーブル３の外周上に紐状の介在物４ａ，４ｂを縦添えし、その上に合成樹脂製の管体５ａ，５ｂを押し出し被覆する。そして、この管体５ａ，５ｂに波付き加工を施した後、バインドテープ６を巻き付けて管体５ａ，５ｂを結束して一体に構成する。
【００３１】
以上説明した本例の複合ケーブル１によれば、別々の管体５ａ，５ｂ内にそれぞれ収容された電力ケーブル２と通信ケーブル３とが直接接触することはない。これにより、電力ケーブルと通信ケーブルとで複合ケーブルを構成することができ、これらのケーブルを同一ルートで布設する場合の布設作業性を向上させることができる。
【００３２】
また、介在物４ａ，４ｂにより、電力ケーブル２及び通信ケーブル３が管体５ａ，５ｂ内に係止されているので、管体５ａ，５ｂ内における電力ケーブル２及び通信ケーブル３のずれを防止することができる。したがって、複合ケーブル１の施工時に、作業者が管体５ａ，５ｂを手で持って作業する際、管体５ａ，５ｂ内からケーブルが抜けてしまうことを防ぐことができるので、施工時の作業性が良好である。
【００３３】
なお、電力ケーブル２及び通信ケーブル３の本数は上記本数に限られるものでなく、また管体５ａ、５ｂの数も上記の数に限られない。例えば、複数本の各電力ケーブル２を複数の管体５ａ内にそれぞれ収容するとともに、複数本の通信ケーブル３を複数の管体５ｂ内にそれぞれ収容してもよい。また、管体５ａ，５ｂのそれぞれに、電力ケーブル２及び通信ケーブル３を複数本収容してもよい。また、複数の管体５ａ内のそれぞれに複数本の電力ケーブル２を収容するとともに、複数の管体５ｂ内のそれぞれに複数本の通信ケーブル３を収容してもよい。さらに、１本の電力ケーブル２を収容した管体５ａと複数本の電力ケーブル２を収容した管体５ａとを備え、１本の通信ケーブル３を収容した管体５ｂと複数本の通信ケーブル３を収容した管体５ｂとを備えていてもよい。
【００３４】
次に、本発明に係る複合ケーブルの実施の形態の第２例について説明する。
図２は本発明に係る複合ケーブルの実施の形態の第２例を示す断面図である。
【００３５】
本例の複合ケーブル７において、管体５ａ，５ｂはスチールやアルミなどの金属製で波付き加工が施されたものとなっており、また管体５ａと電力ケーブル２、管体５ｂと通信ケーブル３との間には、それぞれ、管体５ａの内壁と電力ケーブル２、管体５ｂの内壁と通信ケーブル３に密着するドレイン線８ａ，８ｂが長手方向に挿入されている。その他の構成は実施の形態の第１例の複合ケーブル１と同様となっており、対応する部分には同一の符号を付けてその説明を省略する。
【００３６】
このような構成の複合ケーブル７は、先ず、電力ケーブル２及び通信ケーブル３を製造した後、これを別工程で管体５ａ，５ｂ内に収容し、これらの管体５ａ，５ｂを結束することにより製造される。具体的には、別工程で製造された電力ケーブル２及び通信ケーブル３の外周上に紐状の介在物４ａ，４ｂ及びドレイン線８ａ，８ｂを縦添えし、その上に、金属製の半管体２つを縦添えして半管体同士を溶接し、管体５ａ，５ｂとする。そして、この管体５ａ，５ｂに波付き加工を施した後、バインドテープ６を巻き付けて管体５ａ，５ｂを結束して一体に構成する。
【００３７】
このような本例の複合ケーブル７によれば、上記実施の形態の第１例と同様の効果を有するとともに、遮蔽効果を得ることができ、さらに接地線を取り付けるための作業を簡略化することができる。
【００３８】
次に、本発明に係る複合ケーブルの実施の形態の第３例について説明する。
図３は本発明に係る複合ケーブルの実施の形態の第３例を示す断面図である。
【００３９】
本例の複合ケーブル９においては、電力ケーブル２は波付き加工が施された合成樹脂製の管体５に収容されているが、通信ケーブル３は管体内には収容されず、管体５の外周に縦添えして配置されている。そして、このように管体５の外周に配置されている通信ケーブル３と管体５とが、バインドテープ６を螺旋状に巻き付けることにより結束されて一体となっている。これにより、管体５内に収容された電力ケーブル２と管体５の外周に配置された通信ケーブル３とが一括されて一体に構成されている。その他の構成については実施の形態の第１例の複合ケーブル１と同様となっており、対応する部分には同一の符号を付けてその説明を省略する。
【００４０】
なお、本発明にあっては、通信ケーブル３が管体５内に収容され、電力ケーブル２が管体５の外周に配置されていてもよい。
また、管体５内に収容された電力ケーブル２と管体５の外周に配置された通信ケーブル３とを一括して一体に構成する手段としては、バインドテープ６の代わりにバインド線を巻き付けてもよいし、通信ケーブル３と管体５とを撚り合わせてもよく、また通信ケーブル３を管体５の外周に螺旋状に巻き付けてもよい。
【００４１】
このような本例の複合ケーブル９によれば、管体５内に収容された電力ケーブル２と、管体５の外周に配置された通信ケーブル３とが直接接触することはない。これにより、電力ケーブルと通信ケーブルとを直接接触させずに複合ケーブルを構成することができ、これらのケーブルを同一ルートで布設する場合の布設作業性を向上させることができる。その他、実施の形態の第１例と同様、ケーブル施工時の作業性も良好である。
【００４２】
なお、本例の複合ケーブル９にあって、管体５は、前記実施の形態の第２例と同様、金属製の波付き加工が施されたものであってもよく、そしてこのような管体５と電力ケーブル２との間に、管体５の内壁と電力ケーブル２に密着するドレイン線を設けて遮蔽効果を持たせてもよい（不図示）。
【００４３】
また、管体５内に収容される電力ケーブル２（管体５内に通信ケーブル３を収容した場合には通信ケーブル３）は複数本であってもよい。さらに、複数本の各電力ケーブル２（管体５内に通信ケーブル３を収容した場合には通信ケーブル３）を複数の管体５内にそれぞれ収容してもよい。
【００４４】
また、図４に示すように、管体５の外周に配置される通信ケーブル３が複数本であってもよい。このような図４に示す複合ケーブル９にあっては、管体５の外周に各通信ケーブル３を螺旋状に巻き付け、その上にバインドテープ６を巻き付けることにより、各通信ケーブル３と管体５とが一括されている。
【００４５】
なお、管体５の外周に複数本のケーブルが配置されている場合には、電力ケーブル２と通信ケーブル３とが混在して配置されていてもよい。ただし、この場合には、電力ケーブル２と通信ケーブル３とが直接接触しないようにしてそれぞれのケーブルを管体５の外周に配置する。
【００４６】
また、図示しないが、本例の複合ケーブル９にあっては、電力ケーブル２を収容した一の管体と、通信ケーブル３を収容した他の管体とを備えていてもよい。
【００４７】
したがって、本例の複合ケーブル９には、以下のようなものが含まれる。
第１は、電力ケーブル２と通信ケーブル３とをそれぞれ１本ずつ備え、前記電力ケーブル２又は前記通信ケーブル３のうち、いずれか一方のケーブルを管体５内に収容し、該管体５の外周に、他方のケーブルを配置し、前記管体５と該管体５の外周に配置した前記他方のケーブルとを一括して一体に構成したことを特徴とする複合ケーブル９である。
【００４８】
第２は、複数本の電力ケーブル２と１本の通信ケーブル３とを備え、前記複数本の電力ケーブル２を管体５内に収容し、該管体５の外周に、１本の通信ケーブル３を配置し、前記管体５と該管体５の外周に配置した通信ケーブル３とを一括して一体に構成したことを特徴とする複合ケーブル９である。
【００４９】
第３は、１本の電力ケーブル２と複数本の通信ケーブル３を備え、前記複数本の通信ケーブル３を管体５内に収容し、該管体５の外周に、１本の電力ケーブル２を配置し、前記管体５と該管体５の外周に配置した電力ケーブル２とを一括して一体に構成したことを特徴とする複合ケーブル９である。
【００５０】
第４は、電力ケーブル２と通信ケーブル３とを合わせて３本以上備え、前記電力ケーブル２及び前記通信ケーブル３のうち、いずれかの１本又は複数本のケーブルを、管体５内に収容するとともに、該管体５の外周に、該管体５内に収容されない他の前記電力ケーブル２及び前記通信ケーブル３を少なくとも電力ケーブル２と通信ケーブル３とが接触しないようにして配置し、前記管体５と該管体５の外周に配置した前記他のケーブルとを一括して一体に構成したことを特徴とする複合ケーブル９である。
【００５１】
第５は、電力ケーブル２と通信ケーブル３とを合わせて３本以上備え、前記電力ケーブル２及び前記通信ケーブル３のうち、いずれかの１本又は複数本のケーブルを、管体５内に収容するとともに、該管体５の外周に、該管体５内に収容されない他の前記電力ケーブル２同士又は前記通信ケーブル３同士を配置し、前記管体５と該管体５の外周に配置した前記他のケーブルとを一括して一体に構成したことを特徴とする複合ケーブル９である。
【００５２】
第６は、電力ケーブル２と通信ケーブル３とを合わせて３本以上備え、前記電力ケーブル２のうちの任意の１本又は複数本の電力ケーブル２を単数又は複数の一の管体内に収容し、前記通信ケーブル３のうちの任意の１本又は複数本の電力ケーブル２を単数又は複数の他の管体内に収容し、前記一の管体又は前記他の管体の外周に、前記一の管体又は他の管体内に収容されないケーブルを１本配置し、前記一の管体と前記他の管体と前記一の管体又は他の管体の外周に配置した前記ケーブルとを一括して一体に構成したことを特徴とする複合ケーブル９である。
【００５３】
第７は、電力ケーブル２と通信ケーブル３とを合わせて４本以上備え、前記電力ケーブル２のうちの任意の１本又は複数本の前記電力ケーブル２を単数又は複数の一の管体内に収容し、前記通信ケーブル３のうちの任意の１本又は複数本の前記通信ケーブル３を単数又は複数の他の管体内に収容し、前記一の管体又は前記他の管体の外周に、前記一の管体又は前記他の管体内に収容されない他の前記電力ケーブル２及び前記通信ケーブル３を少なくとも電力ケーブル２と通信ケーブル３とが接触しないようにして配置し、前記一の管体と前記他の管体と前記一の管体又は前記他の管体の外周に配置した前記他のケーブルとを一括して一体に構成したことを特徴とする複合ケーブル９である。
【００５４】
第８は、電力ケーブル２と通信ケーブル３とを合わせて４本以上備え、前記電力ケーブル２のうちの任意の１本又は複数本の前記電力ケーブル２を単数又は複数の一の管体内に収容し、前記通信ケーブル３のうちの任意の１本又は複数本の前記通信ケーブル３を単数又は複数の他の管体内に収容し、前記一の管体又は前記他の管体の外周に、前記一の管体又は前記他の管体内に収容されない他の前記電力ケーブル２同士又は前記通信ケーブル３同士を配置し、前記一の管体と前記他の管体と前記一の管体又は前記他の管体の外周に配置した前記他のケーブルとを一括して一体に構成したことを特徴とする複合ケーブル９である。
【００５５】
【発明の効果】
以上説明したように請求項１乃至４に記載の発明によれば、電力ケーブルと通信ケーブルとが直接接触することがなく、電力ケーブルと通信ケーブルとを直接接触させずに複合ケーブルを構成することができ、これらのケーブルを同一ルートで布設する場合の布設作業性を向上させることができる。
【００５６】
請求項５及び６に記載の発明によれば、管体内に収容されたケーブルのずれを防止することができ、複合ケーブルの施工時に管体内からケーブルが抜けてしまうことを防ぐことができるので、施工時の作業性が良好である。
【００５７】
請求項７に記載の発明によれば、複合ケーブルを容易に曲げることができる。
【００５８】
請求項８に記載の発明によれば、遮蔽効果を得ることができ、さらに接地線を取り付けるための作業を簡略化することができる。
【図面の簡単な説明】
【図１】本発明に係る複合ケーブルの実施の形態の第１例を示す断面図。
【図２】本発明に係る複合ケーブルの実施の形態の第２例を示す断面図。
【図３】本発明に係る複合ケーブルの実施の形態の第３例を示す断面図。
【図４】図３に示す複合ケーブルの変形例を示す断面図。
【符号の説明】
１，７，９      複合ケーブル
２      電力ケーブル
３      通信ケーブル
４ａ，４ｂ      介在物
５ａ，５ｂ      管体
６      バインドテープ
８ａ，８ｂ      ドレイン線
【図１】
2004259498.tif 000003
【図２】
2004259498.tif 000004
【図３】
2004259498.tif 000005
【図４】
2004259498.tif 000006